(57)【要約】【課題】輝度および発光効率が向上したプラズマディスプレイパネルを提供すること。【解決手段】所定の間隔で互いに対向配置される上部基板１２０および下部基板１１０と，上部基板と下部基板との間に設けられ，上部基板と下部基板との間に形成された放電空間を区画して複数の放電セル１１４を形成した複数の隔壁１１３と，下部基板の上面に形成された複数のアドレス電極１１１と，下部基板の上面に，アドレス電極を覆うように形成された第１誘電体層１１２と，上部基板と下部基板との間に，放電セルごとに閉ループ状に形成された複数の第１維持電極１２１と，上部基板と上記下部基板との間に，放電セルごとに第１維持電極に対応するように閉ループ状に形成された複数の第２維持電極１１７と，第１誘電体層の上面および隔壁の側壁に形成された第１蛍光体層１１５ａと，を備えることを特徴とする，プラズマディスプレイパネルが提供される。【選択図】図３
2006128103.tif 000002
【特許請求の範囲】
【請求項１】
所定の間隔で互いに対向配置される上部基板および下部基板と；
前記上部基板と前記下部基板との間に設けられ，前記上部基板と前記下部基板との間に形成された放電空間を区画して複数の放電セルを形成した複数の隔壁と；
前記下部基板の上面に形成された複数のアドレス電極と；
前記下部基板の上面に，前記アドレス電極を覆うように形成された第１誘電体層と；
前記上部基板と前記下部基板との間に，前記放電セルごとに閉ループ状に形成された複数の第１維持電極と；
前記上部基板と前記下部基板との間に，前記放電セルごとに前記第１維持電極に対応するように閉ループ状に形成された複数の第２維持電極と；
前記第１誘電体層の上面および前記隔壁の側壁に形成された第１蛍光体層と；
を備えることを特徴とする，プラズマディスプレイパネル。
【請求項２】
前記第１維持電極の内側面には，第２誘電体層が形成され，
前記第２誘電体層の表面には，保護膜が形成されたことを特徴とする，請求項１に記載のプラズマディスプレイパネル。
【請求項３】
前記第１誘電体層の上面には，誘電体からなる突出部が前記放電セルごとに形成され，
前記第２維持電極は，前記突出部の上面に形成されたことを特徴とする，請求項１または２に記載のプラズマディスプレイパネル。
【請求項４】
前記突出部は，前記第２維持電極に対応する閉ループ状に形成されたことを特徴とする，請求項３に記載のプラズマディスプレイパネル。
【請求項５】
前記突出部の内壁および外壁に第２蛍光体層が形成されたことを特徴とする，請求項４に記載のプラズマディスプレイパネル。
【請求項６】
前記上部基板の下面に第３蛍光体層が形成されたことを特徴とする，請求項１〜５のいずれかに記載のプラズマディスプレイパネル。
【請求項７】
前記突出部の上面には，前記第２維持電極を覆うように第３誘電体層が形成され，
前記第３誘電体層の表面には，保護膜が形成されたことを特徴とする請求項３〜６のいずれに記載のプラズマディスプレイパネル。
【請求項８】
前記第１維持電極は，筒状の電極であることを特徴とする，請求項１〜７のいずれかに記載のプラズマディスプレイパネル。
【請求項９】
前記第２維持電極は，貫通孔が形成された板状の電極であることを特徴とする，請求項１〜８のいずれかに記載のプラズマディスプレイパネル。
【請求項１０】
前記アドレス電極は，帯状の電極または貫通孔が形成された板状の電極であることを特徴とする，請求項１〜９のいずれかに記載のプラズマディスプレイパネル。
【請求項１１】
所定の間隔で互いに対向配置される上部基板および下部基板と；
前記上部基板と前記下部基板との間に設けられ，前記上部基板と前記下部基板との間に形成された放電空間を区画して複数の放電セルを形成した複数の隔壁と；
前記下部基板の上面に形成された複数のアドレス電極と；
前記下部基板の上面に，前記アドレス電極を覆うように形成された第１誘電体層と；
前記上部基板と前記下部基板との間に，前記放電セルごとに閉ループ状に形成された複数の第１維持電極と；
前記上部基板の下面に形成された第２誘電体層と；
前記上部基板と前記下部基板との間に，前記放電セルごとに前記第１維持電極に対応するように閉ループ状に形成された複数の第２維持電極と；
前記第１誘電体層の上面および前記隔壁の側壁に形成された第１蛍光体層と；
を備えることを特徴とする，プラズマディスプレイパネル。
【請求項１２】
前記第２誘電体層の下面には，保護膜が形成されたことを特徴とする，請求項１１に記載のプラズマディスプレイパネル。
【請求項１３】
前記第１誘電体層の上面には，誘電体からなる突出部が前記放電セルごとに形成され，
前記第２維持電極は，前記突出部の上面に形成されたことを特徴とする，請求項１１または１２に記載のプラズマディスプレイパネル。
【請求項１４】
前記突出部は，前記第２維持電極に対応する閉ループ状に形成されたことを特徴とする，請求項１３に記載のプラズマディスプレイパネル。
【請求項１５】
前記突出部の内壁および外壁に第２蛍光体層が形成されたことを特徴とする，請求項１４に記載のプラズマディスプレイパネル。
【請求項１６】
前記突出部の上面には，前記第２維持電極を覆うように第３誘電体層が形成され，
前記第３誘電体層の表面には，保護膜が形成されたことを特徴とする，請求項１３〜１５のいずれかに記載のプラズマディスプレイパネル。
【請求項１７】
前記第１維持電極および前記第２維持電極は，貫通孔が形成された板状の電極であることを特徴とする，請求項１１〜１６のいずれかに記載のプラズマディスプレイパネル。
【請求項１８】
前記アドレス電極は，帯状の電極または貫通孔が形成された板状の電極であることを特徴とする，請求項１１〜１７のいずれかに記載のプラズマディスプレイパネル。
【請求項１９】
前記第１維持電極の外縁には，金属から形成されたバス電極が形成されたことを特徴とする，請求項１１〜１８のいずれかに記載のプラズマディスプレイパネル。
【請求項２０】
前記第１維持電極は，ＩＴＯから形成されたことを特徴とする，請求項１１〜１９のいずれかに記載のプラズマディスプレイパネル。
【発明の詳細な説明】
【技術分野】
【０００１】
本発明は，プラズマディスプレイパネルに関する。
【背景技術】
【０００２】
プラズマディスプレイパネル（ＰＤＰ）は，電気的放電を利用して画像を形成する装置であって，輝度や視野角などの表示性能に優れるので，その使用が次第に増大している。かかるＰＤＰは，電極に印加される直流または交流電圧により電極間でガス放電が起き，この放電過程で発生する紫外線により蛍光体が励起されて可視光を発散する。
【０００３】
上記ＰＤＰは，その放電形式によって直流（Ｄｉｒｅｃｔ  Ｃｕｒｒｅｎｔ：ＤＣ）型と交流（Ａｌｔｅｒｎａｔｉｎｇ  Ｃｕｒｒｅｎｔ：ＡＣ）型とに分類される。ＤＣ型のＰＤＰは，全ての電極が放電空間に露出される構造であって，対応する電極間で電荷の移動が直接的にされる。ＡＣ型のＰＤＰは，少なくとも一つの電極が誘電体層で囲まれ，対応する電極間で直接的に電荷の移動がされない代わりに，壁電荷によって放電が行われる。
【０００４】
また，ＰＤＰは，電極の配置構造によって対向放電型と面放電型とに分類される。対向放電型のＰＤＰは，対をなす二つの維持電極がそれぞれ上部基板と下部基板とに配置された構造であって，放電が基板に垂直な方向に起きる。面放電型のＰＤＰは，対をなす二つの維持電極が同一の基板上に配置された構造であって，放電が基板に平行な方向に起きる。
【０００５】
上記対向放電型のＰＤＰは，発光効率が高い一方，プラズマにより蛍光体層が劣化されやすいという短所があるため，近年，面放電型のＰＤＰが主流をなしている。
【０００６】
図１は，従来の一般的な面放電型のＰＤＰを示す図面である。そして，図２Ａおよび図２Ｂは，それぞれ図１に示したＰＤＰを横方向および縦方向にカットした断面図である。
【０００７】
図１，図２Ａおよび図２Ｂに示すように，従来のＰＤＰは，所定の間隔で互いに対向する上部基板２０と下部基板１０とを備える。上部基板２０と下部基板１０との間の空間は，プラズマ放電が起きる放電空間となる。
【０００８】
下部基板１０の上面には，複数のアドレス電極１１がストライプ状に配列されており，このアドレス電極１１は，第１誘電体層１２に埋め込まれている。そして，第１誘電体層１２の上面には，放電空間を区画して放電セル１４を形成し，この放電セル１４間の電気的，光学的干渉を防止する複数の隔壁１３が互いに所定の間隔をおいて形成されている。放電セル１４の内面には，それぞれ赤色（Ｒ），緑色（Ｇ），青色（Ｂ）の蛍光体層１５が所定厚さで塗布されており，放電セル１４の内部には，放電ガスが充填される。
【０００９】
上部基板２０は，可視光が透過可能な透明基板であって，主にガラスからなり，隔壁１３が形成された下部基板１０に結合される。上部基板２０の下面には，アドレス電極１１と直交するストライプ状の維持電極２１ａ，２１ｂが対をなして形成されている。維持電極２１ａ，２１ｂは，可視光が透過可能なように，主にＩＴＯ（Ｉｎｄｉｕｍ  Ｔｉｎ  Ｏｘｉｄｅ）のような透明な導電性材料から形成される。そして，上記維持電極２１ａ，２１ｂのライン抵抗を減らすために，維持電極２１ａ，２１ｂそれぞれの下面に，金属材質から形成されたバス電極２２ａ，２２ｂが形成されており，その幅は維持電極２１ａ，２１ｂより狭い。かかる維持電極２１ａ，２１ｂおよびバス電極２２ａ，２２ｂは，透明な第２誘電体層２３に埋め込まれている。第２誘電体層２３の下面には，保護膜２４が形成されている。この保護膜２４は，プラズマ粒子のスパッタリングによる第２誘電体層２３の損傷を防止し，２次電子を放出して放電電圧を低下させる機能を有する。保護膜は，たとえばＭｇＯから形成される。
【発明の開示】
【発明が解決しようとする課題】
【００１０】
しかし，上記のような構造のプラズマディスプレイパネル（ＰＤＰ）では，放電セルの内壁に塗布される蛍光体層の量を増加させるのに限界があり，また，放電セルで発生した紫外線が蛍光体層に均一に伝達されないので，パネルの輝度および発光効率が低下するという問題点がある。そして，アドレス電極と維持電極との間の距離が比較的長いため，アドレス放電電圧が高いという問題点がある。
【００１１】
そこで，本発明は，上記問題に鑑みてなされたものであり，輝度および発光効率の向上や，アドレス放電電圧の低減が可能な，新規かつ改良されたプラズマディスプレイパネルを提供するところにある。
【課題を解決するための手段】
【００１２】
上記課題を解決するために，本発明のある観点によれば，所定の間隔で互いに対向配置される上部基板および下部基板と；上記上部基板と上記下部基板との間に設けられ，上記上部基板と上記下部基板との間に形成された放電空間を区画して複数の放電セルを形成した複数の隔壁と；上記下部基板の上面に形成された複数のアドレス電極と；上記下部基板の上面に，上記アドレス電極を覆うように形成された第１誘電体層と；上記上部基板と上記下部基板との間に，上記放電セルごとに閉ループ状に形成された複数の第１維持電極と；上記上部基板と上記下部基板との間に，上記放電セルごとに上記第１維持電極に対応するように閉ループ状に形成された複数の第２維持電極と；上記第１誘電体層の上面および上記隔壁の側壁に形成された第１蛍光体層と；を備えることを特徴とする，プラズマディスプレイパネルが提供される。
【００１３】
かかる構成により，第１維持電極と第２維持電極との間に，放電形態が面放電型と対向放電型とが混合されたような形態の維持放電を上下方向に起こすことができる。また，アドレス電極と第２維持電極との間の距離を従来のＰＤＰにおけるアドレス電極と維持電極の距離より短くすることができる。
【００１４】
上記第１維持電極の内側面には，第２誘電体層が形成され，上記第２誘電体層の表面には，保護膜が形成されてもよい。かかる構成により，プラズマ粒子のスパッタリングによる第２誘電体層の損傷を防止することができ，２次電子を放出して放電電圧を低下させることができる。
【００１５】
上記第１誘電体層の上面には，誘電体からなる突出部が上記放電セルごとに形成され，上記第２維持電極は，上記突出部の上面に形成されてもよい。かかる構成により，アドレス電極と第２維持電極との間の距離を従来のＰＤＰより短くしつつ，放電セル内に蛍光体層を形成する面積を増加させることができる。
【００１６】
上記突出部は，上記第２維持電極に対応する閉ループ状に形成されてもよい。かかる構成により，突出部に内壁で囲まれる部分を設けることができ，さらに蛍光体層を形成する面積を増加させることができる。
【００１７】
上記突出部の内壁および外壁に第２蛍光体層が形成されてもよい。かかる構成により，パネルの輝度および発光効率を高めることができる。
【００１８】
上記上部基板の下面に第３蛍光体層が形成されてもよい。かかる構成により，パネルの輝度および発光効率をさらに高めることができる。
【００１９】
上記突出部の上面には，上記第２維持電極を覆うように第３誘電体層が形成され，上記第３誘電体層の表面には，保護膜が形成されてもよい。かかる構成により，プラズマ粒子のスパッタリングによる第３誘電体層の損傷を防止することができ，２次電子を放出して放電電圧を低下させることができる。
【００２０】
上記第１維持電極は，筒状の電極であるとしてもよい。かかる構成により，第１維持電極と第２維持電極との間に，放電形態が面放電型と対向放電型とが混合されたような形態の維持放電を上下方向に起こすことができる。
【００２１】
上記第２維持電極は，貫通孔が形成された板状の電極であるとしてもよい。かかる構成により，効率よく維持放電およびアドレス放電を発生させることができる。
【００２２】
上記アドレス電極は，帯状の電極または貫通孔が形成された板状の電極であることを特徴とするとしてもよい。かかる構成により，アドレス放電は，アドレス電極と一対の維持電極のうち第２維持電極との間で起きることから，第２維持電極が貫通孔の形成された板状の電極で，アドレス電極が帯状の電極である場合には，アドレス放電は，第２維持電極の中心領域とアドレス電極との間で起きる。また，アドレス電極が貫通孔が形成された板状の電極である場合には，アドレス放電は，第２維持電極およびアドレス電極の形態と同じ形態で起きる。
【００２３】
上記課題を解決するために，本発明の別の観点によれば，所定の間隔で互いに対向配置される上部基板および下部基板と；上記上部基板と上記下部基板との間に設けられ，上記上部基板と上記下部基板との間に形成された放電空間を区画して複数の放電セルを形成した複数の隔壁と；上記下部基板の上面に形成された複数のアドレス電極と；上記下部基板の上面に，上記アドレス電極を覆うように形成された第１誘電体層と；上記上部基板と上記下部基板との間に，上記放電セルごとに閉ループ状に形成された複数の第１維持電極と；上記上部基板の下面に上記形成された第２誘電体層と；上記上部基板と上記下部基板との間に，上記放電セルごとに上記第１維持電極に対応するように閉ループ状に形成された複数の第２維持電極と；上記第１誘電体層の上面および上記隔壁の側壁に形成された第１蛍光体層と；を備えることを特徴とする，プラズマディスプレイパネルが提供される。
【００２４】
かかる構成により，第１維持電極と第２維持電極との間に，対向放電型の維持放電を上下方向に起こすことができる。また，アドレス電極と第２維持電極との間の距離を従来のＰＤＰにおけるアドレス電極と維持電極の距離より短くすることができる。
【００２５】
上記第２誘電体層の下面には，保護膜が形成されてもよい。かかる構成により，プラズマ粒子のスパッタリングによる第２誘電体層の損傷を防止することができ，２次電子を放出して放電電圧を低下させることができる。
【００２６】
上記第１誘電体層の上面には，誘電体からなる突出部が上記放電セルごとに形成され，上記第２維持電極は，上記突出部の上面に形成されてもよい。かかる構成により，アドレス電極と第２維持電極との間の距離を従来のＰＤＰより短くしつつ，放電セル内に蛍光体層を形成する面積を増加させることができる。
【００２７】
上記突出部は，上記第２維持電極に対応する閉ループ状に形成されてもよい。かかる構成により，突出部に内壁で囲まれる部分を設けることができ，さらに蛍光体層を形成する面積を増加させることができる。
【００２８】
上記突出部の内壁および外壁に第２蛍光体層が形成されてもよい。かかる構成により，パネルの輝度および発光効率を高めることができる。
【００２９】
上記突出部の上面には，上記第２維持電極を覆うように第３誘電体層が形成され，上記第３誘電体層の表面には，保護膜が形成されてもよい。かかる構成により，プラズマ粒子のスパッタリングによる第３誘電体層の損傷を防止することができ，２次電子を放出して放電電圧を低下させることができる。
【００３０】
上記第１維持電極および上記第２維持電極は，貫通孔が形成された板状の電極であるとしてもよい。かかる構成により，効率よく維持放電およびアドレス放電を発生させることができる。
【００３１】
上記アドレス電極は，帯状の電極または貫通孔が形成された板状の電極であるとしてもよい。アドレス放電は，アドレス電極と一対の維持電極のうち第２維持電極との間で起きることから，かかる構成により，第２維持電極が貫通孔の形成された板状の電極で，アドレス電極が帯状の電極である場合には，アドレス放電は，第２維持電極の中心領域とアドレス電極との間で起きる。また，アドレス電極が貫通孔が形成された板状の電極である場合には，アドレス放電は，第２維持電極およびアドレス電極の形態と同じ形態で起きる。
【００３２】
上記第１維持電極の外縁には，金属から形成されたバス電極が形成されてもよい。かかる構成により，第１維持電極のライン抵抗を減らすことができる。
【００３３】
上記第１維持電極は，ＩＴＯ（Ｉｎｄｉｕｍ  Ｔｉｎ  Ｏｘｉｄｅ）から形成されてもよい。かかる構成により，第１維持電極部分についても可視光が透過可能となる。
【発明の効果】
【００３４】
以上説明したように本発明によれば，輝度および発光効率を向上することができ，アドレス放電電圧を低下させることができる。
【発明を実施するための最良の形態】
【００３５】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００３６】
（第１の実施形態）
本発明の第１の実施形態にかかるプラズマディスプレイパネルについて説明する。図３は，本実施形態にかかるＰＤＰの一部を分離して示す斜視図であり，図４は，図３に示したＰＤＰの一部断面図である。そして，図５は，図３に示したＰＤＰに適用された電極を示す斜視図である。図３では，便宜上，第２誘電体層１２３，第１蛍光体層１１５ａ，第２蛍光体層１１５ｂ，第３蛍光体層１１５ｃおよび電極の連結ラインは図示していない。
【００３７】
図３〜図５に示すように，上部基板１２０および下部基板１１０が互いに所定の間隔で対向配置され，上部基板１２０および下部基板１１０との間に放電空間が形成される。ここで，上部基板１２０および下部基板１１０は，たとえばガラス基板から形成される。
【００３８】
下部基板１１０の上面には，複数のアドレス電極１１１が形成される。アドレス電極１１１は，図５に示すように帯状の電極とすることができる。このとき，アドレス電極１１１はストライプ状に配列することができる。一方，図６に示すように，アドレス電極１１１’は，貫通孔が形成された四角板形の電極とすることもできる。ここで，貫通孔は，四角板形の電極の中心に任意の大きさおよび形状を有する一の孔を設けるとすることができる。そして，アドレス電極１１１，１１１’は，下部基板の上面に形成される第１誘電体層１１２に埋め込まれる。
【００３９】
上部基板１２０と下部基板１１０との間に設けられ，かつ第１誘電体層１１２の上面には，放電空間を区画して複数の放電セル１１４を形成する複数の隔壁１１３が所定高さで形成される。かかる隔壁１１３は，隣接する放電セル１１４間の電気的，光学的干渉を防止する機能を有する。隔壁１１３は，図３に示すように，枡型に形成された空間が連結するように構成されるとしてもよい。また，底面が４辺の枡形に限られず，底面が多角形であって，各辺に側壁が設けられる構成とすることができる。
【００４０】
上部基板１２０と下部基板１１０との間，たとえば隔壁１１３の上面に接する部分と上部基板１２０の下面との間には，複数の第１維持電極１２１が設けられる。ここで，第１維持電極１２１は，放電セル１１４ごとに隔壁１１３の上面に沿って閉ループ状に形成される。このとき，第１維持電極１２１は，放電セルごとに一の閉ループ状の形状が対応して形成されるとすることができる。そして，かかる構成で形成された第１維持電極１２１において，第１維持電極１２１が相互に隣接する空間には，誘電体が介在されている。第１維持電極１２１は，図５に示すように四角筒形の電極からなるとしてもよい。
【００４１】
そして，隔壁１１３の上面と上部基板１２０の下面との間には，第１維持電極１２１の内側面を被覆するように第２誘電体層１２３が形成されるとすることができる。ここで，内側面とは，閉ループ状に形成された第１維持電極１２１に囲まれた空間に面する内側の側面をいう。そして，第２誘電体層１２３の表面には，保護膜（図示せず）が形成されうる。保護膜は，プラズマ粒子のスパッタリングによる第２誘電体層１２３の損傷を防止し，また，２次電子を放出して放電電圧を低下させる機能を有するものである。保護膜は，たとえばＭｇＯから形成される。
【００４２】
第１誘電体層１１２の上面には，誘電体からなる突出部１１６が放電セル１１４ごとに所定高さで形成される。ここで，突出部１１６は，閉ループ状に形成されうる。さらに，突出部１１６の上面には，第１維持電極１２１に対応する閉ループ状の第２維持電極１１７が形成されるとすることができる。ここで，第２維持電極２１７は，金属から形成されうる。一方，第１誘電体層１１２上には，突出部１１６を形成しないこともあり，この場合，第２維持電極１１７は，上部基板１２０と下部基板１１０との間，たとえば第１誘電体層１１２の上面に形成されるとすることができる。
【００４３】
第２維持電極１１７は，図５に示すように貫通孔が形成された四角板形の電極からなるとしてもよい。ここで貫通孔は，四角板形の電極の中心に任意の大きさおよび形状を有する一の孔を設けるとすることができる。そして，突出部１１６の上面には，第２維持電極１１７を被覆するように第３誘電体層１１８が形成され，第３誘電体層１１８の表面には，保護膜（図示せず）が形成されうる。
【００４４】
放電セル１１４の内壁をなす第１誘電体層１１２の上面および隔壁１１３の側面には，第１蛍光体層１１５ａが形成される。そして，第２蛍光体層１１５ｂが，突出部１１６の内壁および外壁にも形成されるとすることができる。また，第３蛍光体層１１５ｃが，上部基板１２０の下面にも形成されるとすることができる。
【００４５】
図７は，本実施形態にかかるＰＤＰに適用可能な他の形状の電極の一例を示す図面である。図７に示すように，第１維持電極１２１’は，円筒形の電極とすることができ，第２維持電極１１７’は，貫通孔が形成された円板形の電極とすることができる。その際，アドレス電極１１１は，帯状の電極とすることができる。一方，図８に示すように，アドレス電極１１１”は，貫通孔が形成された円板形の電極とすることもできる。ここで貫通孔は，円板形の電極の中心に任意の大きさおよび形状を有する一の孔を設けるとすることができる。
【００４６】
以上，第１維持電極が四角筒形の電極１２１や円筒形の電極１２１’である場合が説明されたが，本実施形態では，これに限定されず，様々な筒状の電極を第１維持電極とすることができる。そして，第２維持電極も，四角板形の電極１１７や円板形の電極１１７’以外に，貫通孔が形成された様々な板状の電極を第２維持電極とすることができる。また，アドレス電極は，帯状の電極１１１，四角板形の電極１１１’や円板形の電極１１１”以外に，貫通孔が形成された様々な板状の電極をアドレス電極とすることができる。
【００４７】
第１維持電極１２１，１２１’および第２維持電極１１７，１１７’は，それぞれの筒形状の中心軸および貫通孔の中心軸とを結んだ軸が，上部基板１２０または下部基板１１０に対して垂直となるように，配置されることができる。さらに，アドレス電極１１１’，１１１”の貫通孔の中心軸と，第１維持電極１２１，１２１’の筒形状の中心軸および第２維持電極１１７，１１７’の貫通孔の中心軸とを結んだ軸についても，同様に上部基板１２０または下部基板１１０に対して垂直となるようにして，アドレス電極１１１’，１１１”が配置されることができる。
【００４８】
上記のような構造のＰＤＰで，維持放電は，第１維持電極１２１，１２１’と第２維持電極１１７，１１７’との間で上下方向に起きる。このとき，第１維持電極１２１，１２１’は，筒状の電極からなり，第２維持電極１１７，１１７’は，貫通孔が形成された板状の電極からなるので，維持放電は，放電形態が面放電型と対向放電型とが混合されたような形態で起きる。たとえば，維持放電は，図４に示す矢印のような円弧状の方向で発生する。そして，このような放電によって発生した紫外線は，放電セル１１４の内壁に形成された蛍光体層に均一に伝達されるので，輝度および発光効率が向上する。
【００４９】
一方，アドレス放電は，アドレス電極１１１，１１１’，１１１”と一対の維持電極のうち第２維持電極１１７，１１７’との間で起きる。このとき，アドレス電極が帯状の電極１１１である場合には，アドレス放電は，第２維持電極１１７，１１７’の中心領域とアドレス電極１１１との間で起きる。そして，アドレス電極が貫通孔の形成された板状の電極１１１’，１１１”である場合には，アドレス放電は，第２維持電極１１７，１１７’およびアドレス電極１１１’，１１１”の形態と同じ形態で起きる。
【００５０】
このように，本実施形態によるＰＤＰでは，アドレス電極１１１，１１１’，１１１”と第２維持電極１１７，１１７’との間の距離が，従来のＰＤＰにおけるアドレス電極と維持電極との間の距離よりも短くなるので，アドレス放電電圧を低下させることができる。一方，リセット放電もアドレス電極１１１，１１１’，１１１”と第２維持電極１１７，１１７’との間で起きるので，コントラストが向上する。
【００５１】
そして，蛍光体層として，第１誘電体層１１２の上面および隔壁１１３の側面の第１蛍光体層１１５ａだけでなく，突出部１１６の内壁および外壁の第２蛍光体層１１５ｂ，上部基板１２０の下面の第３蛍光体層１１５ｃも形成されうるので，放電セル１１４の内部に従来のＰＤＰより多くの蛍光体層を形成できる。これにより，放電によって発生する可視光の量を増加させることができる。そして，上部基板１２０の面上には，誘電体層が形成されないので，放電セルで発生した可視光を従来のＰＤＰの場合より多く上部基板１２０を透過させることができる。
【００５２】
本実施形態にかかるＰＤＰおよびと図１に示した従来のＰＤＰを実験して比較した結果，本実施形態にかかるＰＤＰでは，従来のＰＤＰより発光効率がほぼ３８％向上し，放電開始電圧がほぼ３２％減少した。
【００５３】
（第２の実施形態）
本発明の第２の実施形態にかかるプラズマディスプレイパネルについて説明する。図９は，本実施形態にかかるＰＤＰの一部を分離して示す斜視図であり，図１０は，図９に示したＰＤＰの一部断面図である。そして，図１１は，図９に示したＰＤＰに適用された電極を示す斜視図である。
【００５４】
図９〜図１１に示すように，上部基板２２０および下部基板２１０が互いに所定の間隔で対向配置され，上部基板２２０および下部基板２１０との間に放電空間が形成される。ここで，上部基板２２０および下部基板２１０は，たとえばガラス基板から形成される。
【００５５】
下部基板２１０の上面には，複数のアドレス電極２１１が形成される。アドレス電極２１１は，下部基板の上面に形成される第１誘電体層２１２に埋め込まれる。アドレス電極２１１は，図１１に示すように帯状の電極とすることができる。このとき，アドレス電極２１１はストライプ状に配列することができる。一方，図１２に示すように，アドレス電極２１１’は，貫通孔が形成された四角板形の電極とすることもできる。ここで，貫通孔は，四角板形の電極の中心に任意の大きさおよび形状を有する一の孔を設けるとすることができる。
【００５６】
上部基板２２０と下部基板２１０との間に設けられ，かつ第１誘電体層２１２の上面には，放電空間を区画して複数の放電セル２１４を形成する複数の隔壁２１３が所定高さで形成される。かかる隔壁２１３は，隣接する放電セル２１４間の電気的，光学的干渉を防止する機能を有する。隔壁２１３は，図９に示すように，枡型に形成された空間が連結するように構成されるとしてもよい。また，底面が４辺の枡形に限られず，底面が多角形であって，各辺に側壁が設けられる構成とすることができる。
【００５７】
上部基板２２０と下部基板２１０との間，たとえば上部基板２２０の下面には，複数の第１維持電極２２１が形成される。ここで，第１維持電極２２１は，放電セル２１４ごとに閉ループ状に形成される。このとき，第１維持電極２２１は，放電セルごとに一の閉ループ状の形状が対応して形成されるとすることができる。第１維持電極２２１は，図１１に示すように貫通孔が形成された四角板形の電極からなるとしてもよい。ここで貫通孔は，四板角形の電極の中心に任意の大きさおよび形状を有する一の孔を設けるとすることができる。
【００５８】
第１維持電極２２１は，透明な導電性物質であるＩＴＯ（Ｉｎｄｉｕｍ  Ｔｉｎ  Ｏｘｉｄｅ）から形成されうる。かかる構成により，第１維持電極部分についても可視光が透過可能となる。そして，第１維持電極２２１の外縁には，第１維持電極２２１のライン抵抗を減らすために，金属からなるバス電極２２２が形成されうる。かかる構成により，第１維持電極のライン抵抗を減らすことができる。
【００５９】
上部基板２２０の下面には，たとえば第１維持電極２２１およびバス電極２２２を被覆するように第２誘電体層２２３が形成される。第２誘電体層２２３は，放電によって発生した可視光が透過可能なように透明な物質から形成されることが望ましい。そして，第２誘電体層２２３の下面には，保護膜２２４が形成される。保護膜２２４は，プラズマ粒子のスパッタリングによる第２誘電体層２２３の損傷を防止し，２次電子を放出して放電電圧を低下させる機能を有する。保護膜は，たとえばＭｇＯから形成される。
【００６０】
第１誘電体層２１２の上面には，放電セル２１４ごとに誘電体からなる突出部２１６が所定高さで形成される。ここで，突出部２１６は，閉ループ状に形成されうる。さらに，突出部２１６の上面には，第１維持電極２２１に対応する閉ループ状の第２維持電極２１７が形成されるとすることができる。ここで，第２維持電極２１７は，金属から形成されうる。一方，第１誘電体層２１２上には，突出部２１６を形成しないこともあり，この場合，第２維持電極２１７は，上部基板２２０と下部基板２１０との間，たとえば第１誘電体層２１２の上面に形成されるとすることができる。
【００６１】
第２維持電極２１７は，図１１に示すように貫通孔が形成された四角板形の電極からなる。ここで貫通孔は，略四角形板の中心に任意の大きさおよび形状を有する一の孔を設けるとすることができる。そして，突出部２１６の上面には，第２維持電極２１７を被覆するように第３誘電体層２１８が形成される。そして，第３誘電体層２１８の表面には，保護膜（図示せず）が形成されることもある。
【００６２】
放電セル２１４の内壁をなす第１誘電体層２１２の上面および隔壁２１３の側面には，第１蛍光体層２１５ａが形成される。そして，第２蛍光体層２１５ｂが，突出部２１６の内壁および外壁にも形成されうる。
【００６３】
図１３は，本実施形態にかかるＰＤＰに適用可能な他の形状の電極の一例を示す図面である。図１３に示すように，第１維持電極２２１’は，貫通孔が形成された円板形の電極からなり，このとき，第１維持電極２２１’の外縁には，バス電極２２２’が形成される。第２維持電極２１７’は，貫通孔が形成された円板形の電極からなる。そして，アドレス電極２１１は，帯状の電極とすることができる。一方，図１４に示すように，アドレス電極２１１”は，貫通孔が形成された円板形の電極とすることもできる。ここで貫通孔は，略円形板の中心に任意の大きさおよび形状を有する一の孔を設けるとすることができる。
【００６４】
以上，第１維持電極が四角板形の電極２２１や円板形の電極２２１’である場合が説明されたが，本実施形態では，これに限定されず，様々な板状の第１維持電極とすることができる。そして，第２維持電極も，四角板形の電極２１７や円板形の電極２１７’以外に，貫通孔が形成された様々な板状の第２維持電極とすることができる。また，アドレス電極は，帯状の電極２１１，四角板形の電極２１１’や円板形の電極２１１”以外に，貫通孔が形成された様々な板状のアドレス電極とすることができる。
【００６５】
上記のような構造のＰＤＰで，維持放電は，第１維持電極２２１，２２１’と第２維持電極２１７，２１７’との間で上下方向に起きる。このとき，維持放電は，対向放電形態で起きるので，発光効率が向上する。そして，前述した実施形態と同様に，従来のＰＤＰの場合よりも，アドレス放電電圧を低下させ，放電セル２１４の内部にさらに多くの蛍光体層を形成できる。
【００６６】
以上，添付図面を参照しながら本発明の好適な実施形態について説明したが，本発明はかかる例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００６７】
たとえば，上述した本発明およびその実施形態においては，上部基板，下部基板のように便宜上，上または下という表現を用いたが，上部基板を下側に向け下部基板を上側に向けて実施された場合であっも，これら上部基板または下部基板の表現にとらわれず本発明の技術的意義は変わらない。
【００６８】
たとえば，上述した実施形態においては，下部基板の上面に形成されるアドレス電極のように上面という表現を便宜上用いたが，必ずしも下部基板の直上に限らず，他の物を介した上にアドレス電極が形成される場合であってもよい。そのほか，たとえば第１誘電体層の上面に形成される突出部などという場合も同様である。
【産業上の利用可能性】
【００６９】
本発明は，プラズマディスプレイパネルに適用可能である。
【図面の簡単な説明】
【００７０】
【図１】従来のＰＤＰの分離斜視図である。
【図２Ａ】図１に示したＰＤＰを横方向にカットした断面図である。
【図２Ｂ】図１に示したＰＤＰを縦方向にカットした断面図である。
【図３】本発明の第１の実施形態にかかるＰＤＰの分離斜視図である。
【図４】図３に示したＰＤＰの一部断面図である。
【図５】図３に示したＰＤＰに適用された電極を示す斜視図である。
【図６】図５に示したアドレス電極と異なる形状のアドレス電極を示す斜視図である。
【図７】本発明の第１の実施形態にかかるＰＤＰに適用可能な他の形状の電極を示す斜視図である。
【図８】図７に示したアドレス電極と異なる形状のアドレス電極を示す斜視図である。
【図９】本発明の第２の実施形態にかかるＰＤＰの分離斜視図である。
【図１０】図９に示したＰＤＰの一部断面図である。
【図１１】図９に示したＰＤＰに適用された電極を示す斜視図である。
【図１２】図１１に示したアドレス電極と異なる形状のアドレス電極を示す斜視図である。
【図１３】本発明の第２の実施形態にかかるＰＤＰに適用可能な他の形状の電極を示す斜視図である。
【図１４】図１３に示したアドレス電極と異なる形状のアドレス電極を示す斜視図である。
【符号の説明】
【００７１】
１０，１１０，２１０      下部基板
１１，１１１，１１１’，１１１”，２１１，２１１’，２１１”      アドレス電極
１２，１１２，２１２      第１誘電体層
１３，１１３，２１３      隔壁
１４，１１４，２１４      放電セル
１５      蛍光体層
１１５ａ，２１５ａ      第１蛍光体層
１１５ｂ，２１５ｂ      第２蛍光体層
１１５ｃ      第３蛍光体層
１１６，２１６      突出部
１１７，１１７’，２１７，２１７’      第２維持電極
１１８，２１８      第３誘電体層
２０，１２０，２２０      上部基板
２１ａ，２１ｂ      維持電極
１２１，１２１’，２２１，２２１’      第１維持電極
２２ａ，２２ｂ，２２２，２２２’      バス電極
２３，１２３，２２３      第２誘電体層
２４，２２４      保護膜
【図１】
2006128103.tif 000003
【図２Ａ】
2006128103.tif 000004
【図２Ｂ】
2006128103.tif 000005
【図３】
2006128103.tif 000006
【図４】
2006128103.tif 000007
【図５】
2006128103.tif 000008
【図６】
2006128103.tif 000009
【図７】
2006128103.tif 000010
【図８】
2006128103.tif 000011
【図９】
2006128103.tif 000012
【図１０】
2006128103.tif 000013
【図１１】
2006128103.tif 000014
【図１２】
2006128103.tif 000015
【図１３】
2006128103.tif 000016
【図１４】
2006128103.tif 000017